(57)【要約】【課題】ソース機器からマルチキャスト無線伝送により伝送されたＡＶデータを再生するに際し、同じソース機器からのＡＶデータを再生する他のシンク機器の無線接続状態を判別できるシンク機器を提供する。【解決手段】シンク機器２ａは、ソース機器１からマルチキャスト無線伝送されたＡＶデータを受信するＡＶ受信部と、受信したＡＶデータの中からシンク機器２ａに向けて送信されたＡＶデータを抽出して再生する再生部と、ソース機器１内で管理されたシンク機器情報の一部又は全部を無線で受信する機器情報受信部と、を備える。上記シンク機器情報は、シンク機器２ａを含む複数のシンク機器２ａ，２ｂ，・・・を識別するための識別情報と、各シンク機器２ａ，２ｂ，・・・の無線接続状態を示す状態情報とを関連付けた情報である。【選択図】図１
2010166481.tif 000002
【特許請求の範囲】
【請求項１】
ソース機器からマルチキャスト無線伝送により出力された映像及び／又は音声を含むＡＶデータを受信するＡＶ受信部を備えたシンク機器であって、
該ＡＶ受信部で受信したＡＶデータの中から当該シンク機器に向けて送信されたＡＶデータを抽出して再生する再生部と、前記ソース機器内で管理されたシンク機器情報の一部又は全部を無線で受信する機器情報受信部と、をさらに備え、
前記シンク機器情報は、当該シンク機器を含む複数のシンク機器を識別するための識別情報と、各シンク機器の無線接続状態を示す状態情報とを関連付けた情報であることを特徴とするシンク機器。
【請求項２】
前記再生部は、前記機器情報受信部で受信した他のシンク機器についての前記状態情報に応じて、再生制御を行うことを特徴とする請求項１に記載のシンク機器。
【請求項３】
前記再生部は、前記機器情報受信部で受信した他のシンク機器についての前記状態情報に応じて、再生対象として抽出するＡＶデータを追加し、再生を実行することを特徴とする請求項２に記載のシンク機器。
【請求項４】
前記再生部は、前記機器情報受信部で受信した他のシンク機器についての前記状態情報に応じて、再生対象のＡＶデータの再生方法を調整することを特徴とする請求項２又は３に記載のシンク機器。
【請求項５】
前記再生部は、前記機器情報受信部で受信した他のシンク機器についての前記状態情報に応じて、再生を停止することを特徴とする請求項２〜４のいずれか１項に記載のシンク機器。
【請求項６】
前記シンク機器情報は、前記識別情報に、各シンク機器の種別を示す種別情報がさらに関連付けられてなり、
前記再生部は、前記再生制御として、前記機器情報受信部で受信した他のシンク機器についての前記状態情報及び前記種別情報に応じた再生制御を行うことを特徴とする請求項２〜５のいずれか１項に記載のシンク機器。
【請求項７】
前記ＡＶデータは少なくとも多チャンネルの音声データを含み、
当該シンク機器は、所定のチャンネルの音声データを前記再生部で音声出力する音声出力機器であり、
前記シンク機器情報は、前記識別情報に、各シンク機器の種別を示す種別情報がさらに関連付けられてなり、該種別情報は、前記シンク機器が音声出力機器である場合には音声出力するチャンネルを示すチャンネル情報を含んでおり、
前記再生部は、前記再生制御として、前記機器情報受信部で受信した他の音声出力機器についての前記状態情報及び前記チャンネル情報に応じた再生制御を行うことを特徴とする請求項２〜５のいずれか１項に記載のシンク機器。
【請求項８】
前記シンク機器情報は、前記識別情報に、他のシンク機器から送信された制御コマンドがさらに関連付けられてなることを特徴とする請求項１に記載のシンク機器。
【請求項９】
前記再生部で行った前記状態情報に応じた再生制御と同時に他のシンク機器で行うべき再生制御に関する制御コマンドを生成し、前記ソース機器に無線で送信する制御コマンド送信部をさらに備え、
前記シンク機器情報は、前記識別情報に、前記他のシンク機器に対する前記制御コマンドがさらに関連付けられてなることを特徴とする請求項２〜７のいずれか１項に記載のシンク機器。
【請求項１０】
前記シンク機器情報は、前記識別情報に、他のシンク機器から送信された制御コマンドがさらに関連付けられてなり、
前記再生部は、前記機器情報受信部で受信した前記制御コマンドに従って再生を実行することを特徴とする請求項２〜７のいずれか１項に記載のシンク機器。
【請求項１１】
前記再生部は、前記状態情報に応じた再生制御より、前記制御コマンドに従った再生を優先して実行することを特徴とする請求項１０に記載のシンク機器。
【請求項１２】
前記シンク機器情報は、前記識別情報に、各シンク機器が属するグループを識別するためのグループ識別情報が関連付けられていることを特徴とする請求項１に記載のシンク機器。
【請求項１３】
前記シンク機器情報は、前記識別情報に、各シンク機器が属するグループを識別するためのグループ識別情報がさらに関連付けられてなり、
前記再生部は、前記機器情報受信部で受信した同一グループに属する他のシンク機器についての前記状態情報に応じて、再生制御を行うことを特徴とする請求項２〜５、９〜１１のいずれか１項に記載のシンク機器。
【請求項１４】
前記シンク機器情報は、前記識別情報に、各シンク機器が属するグループを識別するためのグループ識別情報がさらに関連付けられてなり、
前記再生部は、前記再生制御として、前記機器情報受信部で受信した同一グループに属する他のシンク機器についての前記状態情報及び前記種別情報に応じた再生制御を行うことを特徴とする請求項６又は７に記載のシンク機器。
【請求項１５】
請求項１〜１４のいずれか１項に記載のシンク機器を複数備え、さらに前記ソース機器を備えた無線伝送システム。
【発明の詳細な説明】
【技術分野】
【０００１】
本発明は、ソース機器からマルチキャスト無線伝送により送信されたＡＶ（Audio Visual）データを受信して再生するシンク機器、及びそのシンク機器を複数台とソース機器とで構築される無線伝送システムに関する。
【背景技術】
【０００２】
従来から、無線ＬＡＮ（Local Area Network）で代表される無線ネットワークが、パーソナルコンピュータ（ＰＣ）などの機器間におけるデータ伝送に用いられている。このような無線ネットワークは、アクセスポイントから各機器に対してマルチキャスト伝送によりデータを伝送するように構築することもできる。
【０００３】
また、特許文献１には、無線ネットワーク内の他の通信局と無線通信を行う無線伝送装置が開示されている。この無線伝送装置は、無線信号の送信及び受信を行う無線処理手段と、周囲の通信局からの管理情報に基づいて、上記無線処理手段で受信した所定のフレーム周期を設定すると共に、その規定したフレーム周期内の所定の位置を管理情報伝送領域とし、上記管理情報伝送領域に複数のスロットを規定し、各通信局がそのスロットの１つで管理情報を送信させると共に、予めそのスロットの一部を新規参入スロットと規定し、所定の新規参入スロット位置での特定の信号を判別したとき、上記特定の信号の送信元を無線ネットワークに参入させる処理を行う制御手段とを備える。
【先行技術文献】
【特許文献】
【０００４】
【特許文献１】特許第４１９２３２８号公報
【発明の概要】
【発明が解決しようとする課題】
【０００５】
一般に、無線によるマルチキャスト伝送では、伝送路形態が送信機を中心としたスター型になる特徴をもっているため、無線環境の変動により、個々の受信機との接続が切れても、他の受信機では接続が切れずに通信が可能である。つまり、マルチキャスト無線伝送システムでは、一部の受信機が接続切断状態で他の受信機が通信可能状態であるような状況が生じ得る。
【０００６】
しかしながら、このような状況は次のような利用環境のときに問題となる。つまり、映像や音声といったＡＶデータをチューナ機器等のソース機器（送信機）から無線マルチキャスト伝送する場合、映像表示機能を持った受信機（シンク機器）で受信データ中の映像データから表示再生をし、音声再生機能を持った受信機で受信データ中の音声データから音声を出力するといった、複数の受信機の機能を併せてＡＶ視聴するような利用環境では、次のような問題が生じる。すなわち、このような利用環境の場合、無線環境の変動により一部の受信機との接続が切れても、他の受信機では接続が切れずに通信ができているという状態が発生することから、一部の受信機の通信が切断されて音声のみ又は映像のみが再生され続けるような、視聴者にとっては中途半端な視聴環境が提供されてしまう。
【０００７】
このように、音声再生機能を持った受信機が通信できない状態に陥り、音声出力が止まった状態で、映像表示機能を持った受信機で継続して表示再生を続けることは、視聴者にとって望ましくない。同様の事態は、例えば左用の音声再生機能をもった受信機と右用の音声再生機能をもった受信機とのうち、一方の受信機のみ接続が切断されて音声出力が停止するような視聴環境でも生じ得る。この視聴環境では、音量や音声バランスが崩れてしまうため、このような中途半端な視聴環境のまま再生を続けることは視聴者にとって望ましくない。勿論、無線通信を行っていることから一般的に離れた位置に設置される全ての受信機に対して、ユーザが電源オフや出力の調整などといったユーザ操作を行うことで、この中途半端な視聴環境は解消できるが、非常に手間のかかる作業となる。
【０００８】
そして、このような中途半端な視聴環境を各受信機（シンク機器）側でユーザ操作に因らずに自動的に修正するためには、まずシンク機器側で他のシンク機器の無線接続状態を把握することが望まれる。しかしながら、現状、上記利用環境において他のシンク機器の無線接続状態を把握させようとする発想や技術は存在しない。また、このようなシンク機器側での中途半端な視聴環境を、ユーザ操作に因らずに自動的に修正しようとする発想や技術も存在しない。
【０００９】
なお、特許文献１に記載の技術は、既存の無線ネットワークに新規に通信局（受信機）を参入させるための技術であって、このような問題を解決できるものではない。
【００１０】
本発明は、上述のような実状に鑑みてなされたものであり、その目的は、ソース機器からマルチキャスト無線伝送により伝送されたＡＶデータを再生するに際し、同じソース機器からのＡＶデータを再生する他のシンク機器の無線接続状態を判別することが可能なシンク機器、及びそのシンク機器とソース機器とを備えた無線伝送システムを提供することにある。
【００１１】
本発明の他の目的は、ソース機器からマルチキャスト無線伝送により伝送されたＡＶデータを再生するに際し、同じソース機器からのＡＶデータを再生する他のシンク機器の無線接続状態に応じた再生を行うことが可能なシンク機器、及びそのシンク機器とソース機器とを備えた無線伝送システムを提供することにある。
【課題を解決するための手段】
【００１２】
上記課題を解決するために、本発明の第１の技術手段は、ソース機器からマルチキャスト無線伝送により出力された映像及び／又は音声を含むＡＶデータを受信するＡＶ受信部を備えたシンク機器であって、該ＡＶ受信部で受信したＡＶデータの中から当該シンク機器に向けて送信されたＡＶデータを抽出して再生する再生部と、前記ソース機器内で管理されたシンク機器情報の一部又は全部を無線で受信する機器情報受信部と、をさらに備え、前記シンク機器情報は、当該シンク機器を含む複数のシンク機器を識別するための識別情報と、各シンク機器の無線接続状態を示す状態情報とを関連付けた情報であることを特徴としたものである。
【００１３】
第２の技術手段は、第１の技術手段において、前記再生部は、前記機器情報受信部で受信した他のシンク機器についての前記状態情報に応じて、再生制御を行うことを特徴としたものである。
【００１４】
第３の技術手段は、第２の技術手段において、前記再生部は、前記機器情報受信部で受信した他のシンク機器についての前記状態情報に応じて、再生対象として抽出するＡＶデータを追加し、再生を実行することを特徴としたものである。
【００１５】
第４の技術手段は、第２又は第３の技術手段において、前記再生部は、前記機器情報受信部で受信した他のシンク機器についての前記状態情報に応じて、再生対象のＡＶデータの再生方法を調整することを特徴としたものである。
【００１６】
第５の技術手段は、第２〜第４のいずれか１の技術手段において、前記再生部は、前記機器情報受信部で受信した他のシンク機器についての前記状態情報に応じて、再生を停止することを特徴としたものである。
【００１７】
第６の技術手段は、第２〜第５のいずれかの技術手段において、前記シンク機器情報は、前記識別情報に、各シンク機器の種別を示す種別情報がさらに関連付けられてなり、前記再生部は、前記再生制御として、前記機器情報受信部で受信した他のシンク機器についての前記状態情報及び前記種別情報に応じた再生制御を行うことを特徴としたものである。
【００１８】
第７の技術手段は、第２〜第５のいずれかの技術手段において、前記ＡＶデータは少なくとも多チャンネルの音声データを含み、当該シンク機器は、所定のチャンネルの音声データを前記再生部で音声出力する音声出力機器であり、前記シンク機器情報は、前記識別情報に、各シンク機器の種別を示す種別情報がさらに関連付けられてなり、該種別情報は、前記シンク機器が音声出力機器である場合には音声出力するチャンネルを示すチャンネル情報を含んでおり、前記再生部は、前記再生制御として、前記機器情報受信部で受信した他の音声出力機器についての前記状態情報及び前記チャンネル情報に応じた再生制御を行うことを特徴としたものである。
【００１９】
第８の技術手段は、第１の技術手段において、前記シンク機器情報は、前記識別情報に、他のシンク機器から送信された制御コマンドがさらに関連付けられてなることを特徴としたものである。
【００２０】
第９の技術手段は、第２〜第７のいずれかの技術手段において、前記再生部で行った前記状態情報に応じた再生制御と同時に他のシンク機器で行うべき再生制御に関する制御コマンドを生成し、前記ソース機器に無線で送信する制御コマンド送信部をさらに備え、前記シンク機器情報は、前記識別情報に、前記他のシンク機器に対する前記制御コマンドがさらに関連付けられてなることを特徴としたものである。
【００２１】
第１０の技術手段は、第２〜第７のいずれかの技術手段において、前記シンク機器情報は、前記識別情報に、他のシンク機器から送信された制御コマンドがさらに関連付けられてなり、前記再生部は、前記機器情報受信部で受信した前記制御コマンドに従って再生を実行することを特徴としたものである。
【００２２】
第１１の技術手段は、第１０の技術手段において、前記再生部は、前記状態情報に応じた再生制御より、前記制御コマンドに従った再生を優先して実行することを特徴としたものである。
【００２３】
第１２の技術手段は、第１の技術手段において、前記シンク機器情報は、前記識別情報に、各シンク機器が属するグループを識別するためのグループ識別情報が関連付けられていることを特徴としたものである。
【００２４】
第１３の技術手段は、第２〜第５、第９〜第１１のいずれかの技術手段において、前記シンク機器情報は、前記識別情報に、各シンク機器が属するグループを識別するためのグループ識別情報がさらに関連付けられてなり、前記再生部は、前記機器情報受信部で受信した同一グループに属する他のシンク機器についての前記状態情報に応じて、再生制御を行うことを特徴としたものである。
【００２５】
第１４の技術手段は、第６又は第７の技術手段において、前記シンク機器情報は、前記識別情報に、各シンク機器が属するグループを識別するためのグループ識別情報がさらに関連付けられてなり、前記再生部は、前記再生制御として、前記機器情報受信部で受信した同一グループに属する他のシンク機器についての前記状態情報及び前記種別情報に応じた再生制御を行うことを特徴としたものである。
【００２６】
第１５の技術手段は、無線伝送システムにおいて、第１〜第１４のいずれかの技術手段におけるシンク機器を複数備え、さらに前記ソース機器を備えたことを特徴としたものである。
【発明の効果】
【００２７】
本発明によれば、シンク機器において、ソース機器からマルチキャスト無線伝送により伝送されたＡＶデータを再生するに際し、同じソース機器からのＡＶデータを再生する他のシンク機器の無線接続状態を判別することが可能になる。
【００２８】
本発明の他の形態によれば、シンク機器において、ソース機器からマルチキャスト無線伝送により伝送されたＡＶデータを再生するに際し、同じソース機器からのＡＶデータを再生する他のシンク機器の無線接続状態に応じた再生を行うことが可能になる。
【図面の簡単な説明】
【００２９】
【図１】本発明の一実施形態に係る無線伝送システムの構成例を示す概略図である。
【図２】図１の無線伝送システムにおけるソース機器の一構成例を示す機能ブロック図である。
【図３】図２のソース機器において管理されるシンクリストの一例を示す図である。
【図４】図２のソース機器からシンク機器に対してマルチキャスト伝送されるフレームのフォーマットの一例を示す図である。
【図５】図２のソース機器とシンク機器との間でユニキャスト伝送されるフレームのフォーマットの一例を示す図である。
【図６】図１の無線伝送システムにおけるシンク機器の一構成例を示す機能ブロック図である。
【図７】図６のシンク機器において設定されている動作テーブルの一例を示す図である。
【図８】図１の無線伝送システムの構築例を示す図である。
【図９】図８の無線伝送システムにおけるフロント左スピーカの動作例を説明するためのフロー図である。
【図１０】図１の無線伝送システムの他の構築例を示す図である。
【図１１】図１０の無線伝送システムにおけるＴＶの動作例を説明するためのフロー図である。
【図１２】図１の無線伝送システムの他の構築例を示す図である。
【図１３】図１２の無線伝送システムにおいてソース機器で管理されるシンクリストの一例を示す図である。
【図１４】図１２の無線伝送システムにおいてソース機器から特定グループに属するシンク機器に対してマルチキャスト伝送されるフレームのフォーマットの一例を示す図である。
【図１５】図１２の無線伝送システムにおける寝室に設置されたフロント左スピーカの動作例を説明するためのフロー図である。
【発明を実施するための形態】
【００３０】
図１は、本発明の一実施形態に係る無線伝送システムの構成例を示す概略図である。本実施形態に係る無線伝送システム（以下、本システムという）は、ソース機器１と複数のシンク機器２ａ，２ｂ，・・・（以下、いずれも「シンク機器２」として説明する）とで構成される。
【００３１】
ソース機器１は、映像及び／又は音声を含むＡＶデータをマルチキャスト無線伝送により出力する機器である。シンク機器２は、ソース機器１からそのＡＶデータを受信可能に構成されている。つまり、シンク機器２は、ソース機器１からマルチキャスト無線伝送されたＡＶデータを受信するＡＶ受信部を備える。さらに、シンク機器２は、ＡＶ受信部で受信したＡＶデータの中からシンク機器２自身に向けて送信されたＡＶデータを抽出して再生する再生部を備える。
【００３２】
なお、ＡＶ受信部は、マルチキャスト無線伝送されたＡＶデータを受信して、そのシンク機器２の再生部で再生対象となっているデータ（シンク機器２の機能、例えば音声出力機能及び／又は映像表示機能に対応するデータ）を抽出する。この抽出の一部を再生部が担ってもよい。一般的に、多チャンネルの音声データは、全チャンネルについての音声ストリームとして配信（伝送）され、どこに配置する用途の音声出力機器であっても、配信された音声ストリームをＡＶデータ（例えば映像ストリームも含む）から抽出し、さらにその音声ストリームから再生対象となっているチャンネルの音声データを抽出して、再生を行うことが多い。最も単純な左右２チャンネルの場合で説明すると、右スピーカであっても左スピーカ用の音声データの取得も行い、その後、右用の音声データだけ抽出して再生することになる。
【００３３】
さらに、シンク機器２は、機器情報受信部を備える。この機器情報受信部は、ソース機器１内で管理されたシンク機器情報の一部又は全部を無線で受信する。一部のみ受信するとはそのシンク機器２にとって必要な情報だけ受信することを意味し、全部受信する場合には受信後、必要な情報を抽出すればよい。受信方法に関し、例えば、マルチキャスト又はユニキャストで定期的に、或いはいずれかのシンク機器情報が変化したタイミングにおいてシンク機器情報を無線伝送するようにソース機器１を構成しておき、シンク機器２をそのシンク機器情報を無線で受信するように構成しておけばよい。若しくは、ソース機器１への無線データ通信により（つまりシンク機器２側からソース機器１に対して無線通信で定期的に要求して）シンク機器情報を受信するように、シンク機器２及びソース機器１を構成しておいてもよい。なお、機器情報受信部は、ＡＶ受信部と一部の機能を共有して構成してもよい。
【００３４】
上記シンク機器情報は、シンク機器２自身を含む複数のシンク機器２を識別するための識別情報と、各シンク機器２の種別を示す種別情報と、各シンク機器の無線接続状態（無線接続状況）を示す状態情報と、を関連付けた情報である。
【００３５】
本システムにおいて、ソース機器１における識別情報、種別情報、状態情報の付与や取得の処理方法は問わない。例えば、本システムの機器構成を予め定めたものとするのであれば、識別情報や種別情報は予め登録しておいてもよい。また、汎用性を鑑みて、種別情報は無線接続時に無線通信でシンク機器２側から得て、識別情報は種別情報を得た順番に連番を割り当てるなどしてもよい。状態情報は、ソース機器１が定期的に各シンク機器２と無線データ通信を行い、全てのシンク機器２のうち応答が返ってこないシンク機器２を未接続（切断）と判別すればよい。若しくは、シンク機器２側でマルチキャスト伝送ＡＶデータの受信状態（受信レベル）を検出（判別）し、その結果をソース機器１側に無線で送るようにしておき、ソース機器１は受信レベルの検出結果が受信できないシンク機器２を未接続と判別するなどしてもよい。また、あらかじめ再生障害の発生を予見して対応するために、データの受信レベル、データのエラーレート、受信データの信号のＳＮＲなどの受信状態、或いはシンク機器が省電力モードの状態、モバイル機器であればバッテリーの残量、音声分離・合成部２７の負荷率などの無線以外で再生の障害の要因となる機器の動作状態を状態情報としてもよい。
【００３６】
また、このシンク機器情報は、各情報を関連付けたものをリスト化したシンクリストとして格納しておくなどすればよい。なお、種別情報は識別情報に含める、例えば種別情報が解釈できるような識別情報を付すなど、情報の格納形態はどのようなものであってもよい。また、種別情報を上記シンク機器情報の一部に含めた例を挙げたが、種別情報自体をソース機器１で管理しないような形態も本システムに含まれるシンク機器２の種類や数によっては採用できる。
【００３７】
このように、本システムでは、ソース機器１は、マルチキャスト伝送している複数のシンク機器２の無線接続状態を含む情報をリスト化した情報（シンクリスト）を管理する。機器情報受信部は、そのシンクリストの一部又は全部を能動的に読み出すか受動的に得ることが可能となっているため、ソース機器１に繋がっている他のシンク機器２の状態を把握（判別）するための手段と言える。
【００３８】
このように、本発明のシンク機器２では、ソース機器１からマルチキャスト無線伝送により伝送されたＡＶデータを再生するに際し、同じソース機器１からのＡＶデータを再生する他のシンク機器の無線接続状態を判別して把握することが可能になる。
【００３９】
このようにして把握した他のシンク機器の無線接続状態は、一部のシンク機器が切断したときのような中途半端な視聴環境を回避又は回復（修正）させるために用いることができる。
【００４０】
このような回避又は修正のために、再生部は、機器情報受信部で受信した他のシンク機器についての状態情報に応じた再生制御を行う。接続されていた全てのシンク機器２の個々の特性（機能）とその中から切断されたシンク機器２の特性（機能）とに応じて、切断されたシンク機器２の機能を補うように、上記再生部が再生制御を行う。例えば、他のシンク機器についての状態情報を機器情報受信部で受信した結果、他のいずれかのシンク機器２の状態情報が無線切断状態を示していた場合に、中途半端な視聴環境の回避又は修正のために無線接続状態のシンク機器での出力停止を補完するかその出力停止に合わせるように、現在の再生制御を変更する。一方、他のシンク機器全ての状態情報が無線通信中（感度良好）であることを示していた場合には、現在の再生制御をそのまま継続する。
【００４１】
最も単純な例を挙げると、音楽プレーヤ（ソース機器）と左右のスピーカ（シンク機器）とで構成されるシステムにおいて、右スピーカが左のスピーカとの通信が切断されたことを音楽プレーヤ内のシンクリストに基づき検知したとき、右スピーカは通常の右スピーカ用の音声データだけでなく左スピーカ用の音声データを合成して再生するか、右スピーカ用の音声データの音量を上げて再生する。
【００４２】
このように、シンク機器２（例えばシンク機器２ａ）において状態情報に応じた再生制御を行うことで、ソース機器１からマルチキャスト無線伝送により伝送されたＡＶデータを再生するに際し、同じソース機器１からのＡＶデータを再生する他のシンク機器２（例えばシンク機器２ａ以外のシンク機器）の無線接続状態に応じた再生を行うことが可能になる。
【００４３】
なお、本システムでは、再生制御の制御権がソース機器１側にあるのではない。ソース機器１側に制御権をもたせると、複数のシンク機器２の機能を全て把握しておく必要があり、ソース機器１の制御が複雑になるだけでなく、後々追加接続されるシンク機器２の機能も事前にソース機器１側に実装しておく必要があり、実際の製品に搭載することは難しい。また、ソース機器１の販売を行った企業が、シンク機器２の開発を行う他企業に対し、ソース機器１が持つシンク機器２のシンクリストを外部公開する必要が生じる。本システムでは、そのような問題も生じることがない。但し、ブルーレイなどの映像再生機器を持つテレビ、若しくはリモコンからの制御信号を直接受信する機能を備えたソース機器など、ソース機器がシンク機器の機能も含む実装は考えられる。
【００４４】
以下、ソース機器１、シンク機器２についての具体的な一構成例を挙げながら、再生部が行う状態情報に応じた再生制御の様々な例を説明する。
【００４５】
図２は、図１の無線伝送システムにおけるソース機器の一構成例を示す機能ブロック図である。また、図３は、図２のソース機器において管理されるシンクリストの一例を示す図、図４は、図２のソース機器からシンク機器に対してマルチキャスト伝送されるフレームのフォーマットの一例を示す図、図５は、図２のソース機器とシンク機器との間でユニキャスト伝送されるフレームのフォーマットの一例を示す図である。
【００４６】
図２で例示するソース機器１は、シンクリスト管理部１１、映像音声生成部１２、無線通信制御部１３、送信データ合成部１４、受信信号データ復調部１５、送信データ信号変調部１６、アナログ信号処理部１７、及びアンテナ１８を備える。
【００４７】
映像音声生成部１２は、映像・音声データを生成する。ソース機器１が放送受信アンテナ又は放送受信ケーブルに接続されたチューナ部を有するＳＴＢ（Set Top Box）やレコーダ等である場合には、映像音声生成部１２は受信した放送信号を復調、復号などを行う構成とすればよい。また、ソース機器１がレコーダやプレーヤ等である場合には、映像音声生成部１２は例えば記録先から映像・音声データを読み出して必要に応じて復号などを行う構成とすればよい。
【００４８】
映像音声生成部１２は、無線通信制御部１３を経由してシンク機器２からのコントロールデータ（再生、一時停止等の制御コマンドなど）を受け取り、それに対応する動作を行う。なお、制御コマンドとしては、シンク機器２がＴＶなどの場合、ＨＤＭＩ（High-Definition Multimedia Interface）規格におけるＣＥＣ（Consumer Electronics Control）コマンドを元にＴＶから送信されたコマンドであってもよい。
【００４９】
無線通信制御部１３は、無線通信の制御を行う。無線通信制御部１３は、無線通信に関する通信管理データの生成・送信や受信・判定を行い、ネットワーク構成、無線通信を形成するための処理・制御を行う。また、無線通信制御部１３は、確実に転送する必要があるコントロールデータの送信管理（再送処理の管理等）も行う。
【００５０】
シンクリスト管理部１１は、シンク機器２のリストであるシンクリストを格納し管理する。例えば、無線通信制御部１３から各シンク機器２の通信状態を示す情報を取得し、各シンク機器２の無線接続状態をシンクリストとして保持する。また、シンクリスト管理部１１は、各シンク機器２に配信するシンクリストの一部又は全部を無線通信制御部１３に提供する。
【００５１】
図３で例示するシンクリスト１１ａは、識別情報、種別情報、状態情報のそれぞれのデータ項目例として、シンク機器識別ＩＤ、シンク機器種別（テレビ、モニタ、オーディオアンプ、Ｌｃｈスピーカ、Ｒｃｈスピーカなど）、無線接続状態（良好／切断）を保持している。
【００５２】
送信データ合成部１４は、映像・音声データと無線通信制御部１３から受け取ったコントロールデータ及び通信管理データとを合成し、送信データ信号変調部１６に渡す。送信データ信号変調部１６は、送信データに変調処理を施し、送信デジタル波形信号を生成し、アナログ信号処理部１７に渡す。アナログ信号処理部１７は、デジタル波形信号とアナログ波形信号との相互変換を行う。アンテナ１８は、各シンク機器２との間で電波の送受信を行う。また、受信信号データ復調部１５は、アナログ信号処理部１７よりＡ／Ｄ変換された受信デジタル波形信号から、コントロールデータ、通信管理データを復調し、無線通信制御部１３に渡す。
【００５３】
図４で例示する伝送フレーム４０は、映像・音声伝送用として、アンテナ１８からマルチキャスト伝送されるフレーム（マルチキャストデータパケットのフレーム）である。伝送フレーム４０は、フレーム識別情報４１、ストリーム識別情報４２、送信元アドレス４３、順序番号情報４４、及び送信データ４５、といったフィールドで構成される。送信データ４５には、シンクリストコントロール１〜ｎ、誤り検出符号、映像・音声データが含まれる。
【００５４】
フレーム識別情報４１は、データの種別を指定する情報である。ここで説明する例（図４、後述の図５及び図１４）では、３種類のデータしか存在しないため、フレーム識別情報４１により３種類の区別ができれば十分であるが、一般的に、例えば無線ＬＡＮでは、制御の目的（データ通信、マネージメント、帯域予約、Acknowledgementなど）に従って識別情報が区別される。
【００５５】
ストリーム識別情報４２は、映像・音声データを識別するための識別情報である。一つのソース機器１が複数のストリームを流す場合に有用である。送信元アドレス４３は、送信元であるソース機器１のアドレスを示している。順序番号情報４４は、再送処理がある通信の場合には重複を判定するために、再送処理が無い場合でも受信機（シンク機器２）が番号が飛んだことを検出するために、それぞれ用いることができるが、フレームフォーマットに含めなくても問題ない。
【００５６】
シンクリスト・コントロール１〜ｎは、シンクリストの各シンク機器識別ＩＤ（１〜ｎ）に対応して、シンク機器種別及び無線接続状態と、一斉に各シンク機器２を制御するための制御コマンドとを含んでいる。各シンク機器２側では、このシンクリストのうち、他のシンク機器２の無線接続状態に応じて再生制御が変更になるシンク機器２（再生制御が変更になる種別のシンク機器２）についての状態情報（無線接続状態）を抽出すればよい。なお、この制御コマンド及びそれを用いた処理例については後述する。
【００５７】
誤り検出符号は、ＣＲＣ（Cyclic Redundancy Check）など、送信データに誤りが無いか否かを判定するためのデータである。映像・音声データは、映像のデータと音声のデータとを含んでいる。各シンク機器２側では、このうち再生に必要なデータ、例えば音声データを抽出すればよい。
【００５８】
図５で例示する伝送フレーム５０は、コントロールデータ及び通信制御データの伝送用として、ソース機器１から又はシンク機器２から、ユニキャスト伝送されるフレーム（ユニキャストデータパケットのフレーム）である。伝送フレーム５０は、フレーム識別情報５１、受信先アドレス５２、送信元アドレス５３、順序番号情報５４、コントロール・状態情報・通信制御データ５５、及び誤り検出符号５６、といったフィールドで構成される。
【００５９】
フレーム識別情報５１、送信元アドレス５３、順序番号情報５４、誤り検出符号５６については、図４の伝送フレーム４０で説明した通りである。伝送フレーム５０はユニキャスト伝送のフレームであり、再送があり得るので、順序番号情報５４は必要である。受信先アドレス５２は、受信する側の端末（送信側がソース機器１ならシンク機器２、送信側がシンク機器２ならソース機器１）のアドレスを示している。コントロール・状態情報・通信制御データ５５は、コントロールデータ、ソース機器１に通知するシンク機器２自身の無線接続状態の情報（シンク機器２が送信側となる場合）、及び通信制御データ（ネットワーク形成などの管理を行っている場合には通信制御データが必要）を含んでいる。
【００６０】
図６は、図１の無線伝送システムにおけるシンク機器の一構成例を示す機能ブロック図で、図７は、図６のシンク機器において設定されている動作テーブルの一例を示す図である。
【００６１】
図６で例示するシンク機器２は、アンテナ２１、アナログ信号処理部２２、受信信号データ復調部２３、送信データ信号変調部２４、受信データ分離部２５、無線通信制御部２６、音声分離・合成部２７、シンク動作制御部２８、設定情報格納部２９、音声出力部３０、及び操作入力部３１を備える。上記ＡＶ受信部は各要素２１、２２、２３、２４、２７、２８などで例示でき、上記機器情報受信部は２１〜２３、２５、２６、２８などで例示でき、各要素上記再生部は各要素２７〜３０などで例示できる。
【００６２】
アンテナ２１は、ソース機器１との間で電波の送受信を行う。アナログ信号処理部２２は、デジタル波形信号とアナログ波形信号との相互変換を行う。受信信号データ復調部２３は、アナログ信号処理部２２によりＡ／Ｄ変換された受信デジタル波形信号から、受信データを復調し、受信データ分離部２５に渡す。受信データ分離部２５は、受信データから映像・音声データと、コントロールデータ及び通信管理データとを分離し、映像・音声データを音声分離・合成部２７へ渡し、コントロールデータ及び通信管理データを無線通信制御部２６へ渡す。
【００６３】
無線通信制御部２６は、無線通信の制御を行う。無線通信制御部２６は、無線通信に関する通信管理データの生成・送信や受信・判定を行い、ネットワーク構成、無線通信を形成するための処理・制御を行う。また、無線通信制御部２６は、確実に転送する必要があるコントロールデータの送信管理（再送処理の管理等）も行う。また、状態情報をソース機器１に送る構成の場合、無線通信制御部２６は、ソース機器１でシンクリストに登録するシンク機器２自身の通信状態の情報を生成し、無線送信する。
【００６４】
音声分離・合成部２７は、音声・映像データから、自身の役割（スピーカのＬ／Ｒ、リア／フロント等）に対応したデータを取り出し、音声出力部３０に渡す。音声分離・合成部２７は、後述するシンク動作制御部２８の指示に従って、音声合成や音量調整等を行う。
【００６５】
音声出力部３０は、音声出力を行う。ここでは、シンク機器２として音声再生機器を挙げているが、シンク機器２は、モニタのように映像再生機器である場合には音声出力部３０の代わりに映像出力部（映像表示部）を備え、ＴＶのように映像音声再生機器である場合には音声出力部３０と共に映像出力部（映像表示部）を備える。
【００６６】
操作入力部３１は、ユーザなどからのコントロールデータ（再生、一時停止等の制御コマンドなど）を受け取る。なお、制御コマンドとしては、ＨＤＭＩ（High-Definition Multimedia Interface）規格におけるＣＥＣ（Consumer Electronics Control）コマンドを元にソース機器１から送信されたコマンドであってもよい。
【００６７】
送信データ信号変調部２４は、コントロールデータ、通信管理データに変調処理を行い、送信デジタル波形信号を生成し、アナログ信号処理部２２に渡し、アンテナ２１を介して電波を送信させる。
【００６８】
シンク動作制御部２８は、シンクリストの一部又は全部としてソース機器１から受信したシンク機器種別及びその無線接続状態と、それに対応した動作として予め設定されている設定情報と、操作入力部３１からの（及び後述のシンクリスト内制御コマンドとして受信した）コントロールデータとに従って、シンク機器２自身の動作を指示する。設定情報格納部２９は、シンク機器２自身の役割と上記の対応動作とその対応動作を行う条件とを格納する。
【００６９】
この動作は、例えば、図７で例示するような動作テーブル２９ａとして格納しておいてもよい。動作テーブル２９ａは、本システムが、ソース機器１としてのチューナ機器、シンク機器２としてのモニタ又はＴＶ、右用スピーカ機器、左用スピーカ機器、オーディオアンプを具備した無線ホームシアターシステムである場合であって、且つ、左用スピーカ機器の設定情報格納部２９で記憶されている動作テーブルの例である。なお、オーディオアンプは、フロントスピーカとして単体で設けるか、或いはそれに有線接続した別のスピーカ機器と共に設けるなどしておく。無論、左用スピーカ機器以外のシンク機器は、通常、そのシンク機器の動作に対応した動作テーブル２９ａとは異なる動作テーブルをその設定情報格納部２９に保持しておけばよい。また、異なる動作テーブルを設定せず、全てのシンク機器の動作を網羅する記述をした共通の動作テーブルを全てのシンク機器が設定して、設定情報格納部のシンク機器自身の役割の情報に応じて対応する動作が決定されるようにように、動作テーブルを構成することも考えられる。
【００７０】
左用スピーカ機器のシンク動作制御部２８は、切断時に自身の動作の変更を伴うシンク機器（左用スピーカ機器自身以外のシンク機器）の種別を動作テーブル２９ａから判別し、シンクリストからその種別の無線接続状態を得て、切断されたシンク機器に応じて動作テーブル２９ａで定められた動作を実行するよう各部を制御する。また、動作テーブル２９ａに優先順位を付しておくか優先順位の高いものから記述しておき、その優先順位に基づき判定・再生制御を行っていってもよい。
【００７１】
この例では、モニタ又はＴＶ（モニタ＋センタスピーカ）が切断されている場合には、他のモニタも切断されている場合に限って、音声出力を停止するよう制御する。モニタ・ＴＶが切断されていないときには、右用スピーカ機器が切断されているかを判定し、切断されているのであれば、右スピーカ用の音声と自身で通常再生している左スピーカ用の音声とを合成して音声出力する。このとき、１つのスピーカで同じ音量レベルではカバーしきれないので、音量レベルも上げるとよい。同様に、モニタ・ＴＶが切断されていないときには、オーディオアンプが切断されているかを判定し、切断されているのであれば、音量レベルも上げて再生する（このとき、右用スピーカ機器も同様の制御で音量レベルを上げることになる）。オーディオアンプが切断の場合にも、オーディオアンプ用の音声と自身で通常再生している左スピーカ用の音声とを合成して音声出力するような動作設定であってもよい。
【００７２】
左用スピーカ機器における右用スピーカ機器の切断時の再生制御で例示したように、再生部は、種別情報及び状態情報に応じた再生制御として、機器情報受信部で受信した他のシンク機器についての種別情報及び状態情報に応じて、再生対象として抽出するＡＶデータを追加し、再生を実行することが好ましい。
【００７３】
また、左用スピーカ機器における右用スピーカ機器の切断時の再生制御で例示したように、上記再生部は、種別情報及び状態情報に応じた再生制御として、機器情報受信部で受信した他のシンク機器２についての種別情報及び状態情報に応じて、再生対象のＡＶデータの再生方法を調整する。ここで再生方法とは、他のシンク機器２の切断により狂いが生じた、再生レベル（出力レベル、この例では音量レベル）や再生バランスを指す。再生バランスの調整のためには、上述したように再生対象として抽出するＡＶデータを追加を行うことが好ましい。
【００７４】
また、左用スピーカ機器におけるモニタ・ＴＶの切断時の再生制御で例示したように、上記再生部は、種別情報及び状態情報に応じた再生制御として、機器情報受信部で受信した他のシンク機器２についての種別情報及び状態情報に応じて、再生を停止することが好ましい。この停止は、上述したように再生方法の調整や再生対象として抽出するＡＶデータの追加と併用できるが、シンク機器２自身の種類（映像用／音声用）に応じて、切断したソース機器２が同じ種類の機器（種別情報で判定できる）であれば停止を行わず、異なる種類の機器全てであれば停止を優先させるとよい。
【００７５】
なお、一部のシンク機器２が無線接続状態となり、上記停止が働いて全てのシンク機器２が再生無しとなるような場合には、ソース機器１側でもＡＶデータのマルチキャスト無線伝送を停止し、所定時間後に伝送再開を行うようにしてもよい。
【００７６】
また、上述の例及び後述する他の例では、基本的に、上記再生部で種別情報及び状態情報に応じた再生制御を行うことを前提に説明しているが、種別情報は参照しなくても用いなくてもよい。例えば、音楽プレーヤなどでは全てのシンク機器がスピーカ機器やアンプ機器などで限定されるため、シンクリストを受信できるということは自身は通信できておりシンクリストの中に切断があれば他のシンク機器が切断していることが把握できるため、問題なく状態情報に応じた再生制御（例えば単純に音量レベルを上げるなど）が可能である。
【００７７】
図８は、図１の無線伝送システムの構築例を示す図で、図９は、図８の無線伝送システムにおけるフロント左スピーカの動作例を説明するためのフロー図である。図８のシステムは、チューナ７１と、モニタ７２（ＩＤ：０００１）、フロント左用のスピーカ機器７３（ＩＤ：０００２）、フロント右用のスピーカ機器７４（ＩＤ：０００３）、リア左用のスピーカ機器７５（ＩＤ：０００４）、リア右用のスピーカ機器７６（ＩＤ：０００５）、及びオーディオアンプ７８（ＩＤ：０００６）でなるシンク機器群と、から構築されている。全てのシンク機器が通信良好の場合、スピーカ機器７３〜７６、オーディオアンプ７８でサラウンドシステムを構成できている。なお、上記ＩＤはシンクリスト中のシンク機器識別ＩＤに対応していることを指す。
【００７８】
このシステムにおいて、電波障害によりサラウンドスピーカの１つ、例えばフロント右用スピーカ機器７４とチューナ７１との無線伝送が切断されてしまった場合、他のサラウンドスピーカ機器７３、７５、７６、７８は、ソース機器１のシンクリストからフロント右用スピーカ機器７４の無線切断状態を把握し、フロント右用スピーカ機器７４の不在を補填するように、自動的に音声バランス、音量レベルを調整する。
【００７９】
フロント左用（フロント左用チャンネルの音声再生用）のスピーカ機器７３での動作例を主に説明するが、他のシンク機器もその機器の機能に合わせた動作を同様に行う。以下の制御は、スピーカ機器７３において図６のシンク動作制御部２８が設定情報格納部２９を参照しながら主に実行する。
【００８０】
まず、フロント左用スピーカ機器７３は、ソース機器１から、図７の動作テーブル２９ａのような動作テーブルから、切断時の動作が規定してある種別のシンク機器の状態情報を取得する（ステップＳ１）。このシステムの場合、フロント左用スピーカ機器７３内の動作テーブルには、動作テーブル２９ａのモニタ及びオーディアンプに関する動作と、フロント右用スピーカ機器（機器７４であるが特に機器７３でそれを記録しておく必要はなくシンクリストの種別情報から判断できる。以下同様。）が切断時にそれ用のチャンネルの音声と合成して音量レベルを上げる動作と、リア左用スピーカ機器（機器７５に対応）が切断時にそれ用のチャンネルの音声と合成して音量レベルを上げる動作とが規定されているものとする。なお、リア右用スピーカ機器（機器７６に対応）が切断時の動作については規定していないものとする。
【００８１】
ステップＳ１に続き、スピーカ機器７３は、モニタ７２が切断されたか否かを判定し（ステップＳ２）、ＹＥＳであれば音声出力を停止し（ステップＳ３）、ＮＯであればステップＳ６へ進む。スピーカ機器７３は、ステップＳ３に続きシンクリスト取得タイミングを待ってモニタ７２の接続が回復（復帰）したか否かを判定し（ステップＳ４）、復帰を待って音声出力を再開する（ステップＳ５）。ステップＳ２〜Ｓ５の処理により、電波障害によって映像が止まり音声だけが出力され続けるような中途半端な視聴環境にならないようにすることができる。
【００８２】
ステップＳ５に続き、スピーカ機器７３は、フロント右用スピーカ機器７４が切断されたか否かを判定し（ステップＳ６）、ＹＥＳの場合のみ、本来のフロント左チャンネルの音声にスピーカ機器７４用のフロント右チャンネルの音声を合成し、さらに音量レベルを上げて再生する（ステップＳ７）。続いて、リア左用スピーカ機器７５について同様の動作を行う（ステップＳ８，Ｓ９）。続いて、スピーカ機器７３は、オーディオアンプ７８が切断されたか否かを判定し（ステップＳ１０）、ＹＥＳの場合のみ、本来のフロント左チャンネルの音声について音量レベルを上げて再生を行う（ステップＳ１１）。
【００８３】
このように、ＡＶデータに多チャンネルの音声データを含み、シンク機器としては、所定のチャンネルの音声データを再生部で音声出力する音声出力機器（スピーカ機器又はアンプ機器又はモニタに付属のスピーカ機器）を含むシステムの場合、上記再生部は、再生制御として、機器情報受信部で受信した他の音声出力機器であるシンク機器についての状態情報及びチャンネル情報に応じた再生制御を行うことが好ましい。このとき、種別情報には、各シンク機器のうち音声出力機器であるシンク機器については音声出力するチャンネルを示すチャンネル情報を含んでいるものとする。ステップＳ６〜Ｓ１１の処理により、電波障害により音声バランスや音量レベルが極端に狂ってしまうようなことを防止することができる。そして、上述したステップＳ１〜Ｓ１１の処理は、基本的にシンクリスト取得タイミング毎に実行すればよい。なお、スピーカ機器７４及び７５の切断からの復帰についての判断及び処理については説明を省略している。
【００８４】
図１０は、図１の無線伝送システムの他の構築例を示す図で、図１１は、図１０の無線伝送システムにおけるＴＶの動作例を説明するためのフロー図である。図１０のシステムは、図８のシステムにおけるモニタ７２の代わりにＴＶ７７（ＩＤ：０００１）が設けられたものである。ＴＶ７７は、モニタ７７ａとセンタスピーカ７７ｂとを有する。このうち、センタスピーカ７７ｂは無効に設定されているものとする。全てのシンク機器が通信良好の場合、スピーカ機器７３〜７６、オーディオアンプ７８でサラウンドシステムを構成できている。
【００８５】
このシステムにおいて、電波障害によりオーディオアンプ７８とチューナ７１との無線伝送が切断されてしまった場合、他のサラウンドスピーカ機器７３〜７６は、ソース機器１のシンクリストからオーディオアンプ７８の無線切断状態を把握し、その不在を補填するように、自動的に音声バランス、音量レベルを調整すればよい。但し、このような制御については図８及び図９で説明した通りである。ここでは、センタスピーカ７７ｂのみでオーディオアンプ７８の不在を補填するような制御例を説明する。以下の制御は、ＴＶ７７において図６のシンク動作制御部２８が設定情報格納部２９を参照しながら主に実行する。
【００８６】
まず、ＴＶ７７は、ソース機器１から、図７の動作テーブル２９ａのような動作テーブルから、切断時の動作が規定してある種別のシンク機器の状態情報を取得する（ステップＳ２１）。このシステムの場合、ＴＶ７７内の動作テーブルには、オーディアンプ（アンプ７８に対応）に関する動作と、フロント左、フロント右、リア左、リア右用のスピーカ機器それぞれに対する動作が規定されているものとする。前者の動作は、オーディオアンプが切断時に主音声をセンタスピーカ７７ｂから出力する動作とする。後者の動作は、オーディオアンプが切断時に切断すると切断したスピーカ機器の音声チャンネルを合成してセンタスピーカ７７ｂから出力する動作とする。
【００８７】
ステップＳ２１に続き、ＴＶ７７は、オーディオアンプ７８が切断されたか否かを判定し（ステップＳ２２）、ＹＥＳであればセンタスピーカ７７ｂをＯＮにして主音声を再生し（ステップＳ２３）、ＮＯであれば処理を終了する。ステップＳ２１〜Ｓ２３の処理により、電波障害によりオーディオアンプ７８とチューナ７１の無線伝送が接続されてしまった場合、ＴＶ７７はチューナ７１のシンクリストからオーディオアンプの無線伝送状況を把握し、内蔵スピーカ（センタスピーカ７７ｂ）を自動的に有効にして、内蔵スピーカから音声出力する。これにより、電波障害により主音声が止まってしまうような中途半端な視聴環境にならないようにすることができる。
【００８８】
ステップＳ２３に続き、ＴＶ７７は、フロント左、フロント右、リア左、リア右用のスピーカ機器７３〜７６のいずれかが切断されているか否かを判定し（ステップＳ２４）、主音声に切断されたスピーカ機器の音声チャンネルの音声を合成して、センタスピーカ７７ｂから出力する（ステップＳ２５）。
【００８９】
ＴＶ７７は、ステップＳ２５に続きシンクリスト取得タイミングを待ってオーディオアンプ７８の接続が回復（復帰）したか否かを判定する（ステップＳ２６）。ＴＶ７７は、復帰した場合にはセンタスピーカ７７ｂをＯＦＦに戻し（ステップＳ２７）、復帰していない場合にはステップＳ２４へ戻る。このように、ステップＳ２４，Ｓ２５の処理はオーディオアンプ７８の不在時のみの処理となる。そして、上述したステップＳ２１〜Ｓ２７の処理は、基本的にシンクリスト取得タイミング毎に実行すればよい。なお、スピーカ機器７３〜７６の切断からの復帰についての判断及び処理については説明を省略している。
【００９０】
図１２は、図１の無線伝送システムの他の構築例を示す図である。また、図１３は、図１２の無線伝送システムにおいてソース機器で管理されるシンクリストの一例を示す図、図１４は、図１２の無線伝送システムにおいてソース機器から特定グループに属するシンク機器に対してマルチキャスト伝送されるフレームのフォーマットの一例を示す図である。
【００９１】
本例では、複数セットの視聴環境を１つのソース機器から提供するシステムについて説明する。図１２で例示するシステムは、リビング８ａに設置された、ソース機器であるチューナ７１及びシンク機器７３〜７７と、寝室８ｂに設置されたシンク機器８２〜８６とで構成される。リビング８ａ側の各シンク機器７３〜７７は図８又は図１０で説明した各機器であり、寝室８ｂ側の各シンク機器８２〜８６はそれぞれ図８の７２〜７６に相当する機器である。
【００９２】
このように、複数セットの視聴環境を１つのソース機器１から提供するシステムの場合、シンク機器情報は、識別情報や状態情報（及び種別情報）にグループ識別情報が関連付けられていることが好ましい。換言すると、シンク機器で他のシンク機器の無線接続状態を判別可能なように、シンク機器情報は、複数のシンク機器を１グループとして複数グループ分、管理しておくことが好ましい。ここで、グループ識別情報とは、各シンク機器２が属するグループを識別するための情報である。図１２でリビング８ａと寝室８ｂとで分けているように、例えば、複数のサラウンドスピーカ（フロント左用チャンネル、センタ用チャンネル等）などのように複数で１つの機能を果たすようなシンク機器群を、１つのグループとして取り扱えばよい。
【００９３】
図１３で例示するシンクリスト１１ｂは、図３のシンクリスト１１ａと同様にシンクリスト管理部１１で管理され、識別情報、種別情報、状態情報、グループ識別情報のそれぞれのデータ項目例として、シンク機器識別ＩＤ、シンク機器種別、無線接続状態、グループ識別ＩＤを保持している。なお、図１２中のグループＩＤは、図１３のシンクリスト１１ｂにおけるグループ識別ＩＤに対応する機器のグループであることを示している。
【００９４】
このようなグループ識別ＩＤを含めたシンクリスト１１ｂは、図４の伝送フレーム４０で伝送してもよいが、図１４の伝送フレーム９０で例示するように、特定グループ用のフレームで伝送することが好ましい。伝送フレーム９０は、特定のグループに対する制御・リスト通知用として、マルチキャスト伝送されるフレームである。伝送フレーム９０は、フレーム識別情報９１、受信グループ識別情報９２、送信元アドレス９３、順序番号情報９４、コントロール・シンクリスト・通信制御データ９５、及び誤り検出符号９６、といったフィールドで構成される。
【００９５】
フレーム識別情報９１、送信元アドレス９３、順序番号情報９４、誤り検出符号９６については、図４の伝送フレーム４０で説明した通りである。受信グループ識別情報９２は、受信するグループを指定する情報である。シンク機器はこれに基づき自身のグループと合致する場合にこの伝送フレーム９０のそれ以降のフィールドを受信する。コントロール・シンクリスト・通信制御データ９５は、コントロールデータ、シンクリスト（状態情報を含む）、及び通信制御データ（ネットワーク形成などの管理を行っている場合には通信制御データが必要）を含んでいる。このシンクリストは、その特定グループに属するシンク機器２についてのシンクリストである。
【００９６】
このようなシステムにおいても、再生部は、状態情報（及び種別情報、チャンネル情報）に応じた再生制御を行う。但し、このようなグループ分けしたシステムでは、例えばリビング８ａと寝室８ｂとでそれぞれ別々の視聴環境となるため、再生部は、機器情報受信部で受信した同一グループに属する他のシンク機器についての状態情報（及び種別情報、チャンネル情報）に応じて、再生制御を行うことが好ましい。複数の異なる視聴環境において、それぞれ視聴環境毎にシンク機器が連動動作することで、一方の視聴環境の不具合が他方の視聴環境へも影響してしまうことを避けることができる。
【００９７】
図１５は、図１２の無線伝送システムにおける寝室に設置されたフロント左スピーカの動作例を説明するためのフロー図である。図１５に基づき、グループ識別ＩＤ０００２（寝室８ｂ側）のフロント左用のスピーカ機器８３での動作例を主に説明するが、同じグループに属する他のシンク機器もその機器の機能に合わせた動作を同様に行う。別のグループ（リビング８ａ側）に属する他のシンク機器はこのグループ（寝室８ｂ側）のシンク機器とは独立して動作する。以下の制御は、スピーカ機器８３において図６のシンク動作制御部２８が設定情報格納部２９を参照しながら主に実行する。
【００９８】
まず、フロント左用スピーカ機器８３は、ソース機器１から、図７の動作テーブル２９ａのような動作テーブルから、切断時の動作が規定してある種別のシンク機器のうち、自身のグループ識別ＩＤと同じシンク機器の状態情報を取得する（ステップＳ３１）。このシステムの場合、フロント左用スピーカ機器８３内の動作テーブルには、動作テーブル２９ａのモニタに関する動作と、フロント右用スピーカ機器（機器８４に対応）が切断時にそれ用のチャンネルの音声と合成して音量レベルを上げる動作と、リア左用スピーカ機器（機器７５に対応）が切断時にそれ用のチャンネルの音声と合成して音量レベルを上げる動作とが規定されているものとする。なお、異なるグループのシンク機器７３〜７７が切断時の動作については当然であるが、リア右用スピーカ機器（機器８６に対応）が切断時の動作についても規定していないものとして説明する。
【００９９】
続いて、フロント左用スピーカ機器８３は、図９のステップＳ２〜Ｓ９と同様の処理を行う（ステップＳ３２〜Ｓ３９）。但し、ステップＳ３２，Ｓ３４，Ｓ３６，Ｓ３８での切断の判定は自身と同じグループ識別ＩＤ（０００２）に対する状態情報に基づき行うことになる。
【０１００】
次に、図４で説明した制御コマンドを採用した実施形態について図２、図３、図６、図７等を適宜参照しながら説明する。この制御コマンドは上述の例から分かるように採用しなくてもよいが、採用することで複数のシンク機器を１つのシンク機器（グループ分けしている場合には各グループ毎に１つのシンク機器）で制御することができる。
【０１０１】
この形態における主（マスタ）のシンク機器２は、上記再生部で行った状態情報等に応じた再生制御と同時に他のシンク機器２（つまり従となるシンク機器２）で実行すべき再生制御に関する制御コマンドを生成し、ソース機器１に無線で送信する制御コマンド送信部を備える。設定情報格納部２９に、状態情報等に応じた再生制御（例えば図７の動作テーブル２９ａの各動作）に関連付けて、各シンク機器種別に対応する制御コマンドを格納しておき、それを読み出すことで制御コマンドを生成すればよい。例えば動作テーブル２９ａの各動作の隣りに制御コマンドを記述しておけばよい。制御コマンドは、例えば「音量レベルを上げて再生」、「待機状態への移行」又は「待機状態からの復帰」など、実際に従（スレーブ）となるシンク機器２で実行すべき内容を示すコマンドである。この制御コマンド送信部は、図６の各要素２１、２２、２４、２６、２８、２９で例示できる。
【０１０２】
この形態におけるソース機器１は、マスタシンク機器２の制御コマンド送信部で送信された制御コマンドを受信する受信部を備える。この受信部は、図２の各要素１８、１７、１５、１３などで例示できる。さらにソース機器１は、その受信部で受信した各シンク機器に対する制御コマンドを、シンク機器情報（シンクリスト）の一部として、識別情報に関連付けて登録するコマンド登録部を備える。このコマンド登録部は、図２のシンクリスト管理部１１で例示できる。これにより、シンクリスト管理部１１では、各スレーブシンク機器２に対する制御コマンドを含むシンクリストが管理できる。
【０１０３】
無論、マスタシンク機器の制御コマンドの送信をスレーブシンク機器に直接無線で伝達する構成においては、無線接続状態がシステム内で全て良好であれば制御コマンドをシンクリストに含めない実装にしてもよい。但し、一般にスター型のネットワークにおいては、配置によりソース機器とシンク機器の間は通信状況は良くても、シンク間の通信は通信状況が良くないことがありえるため、スレーブシンク機器への制御コマンドの伝達は、本システムのようにシンク間で行うよりもソース機器を経由してマルチキャスト送信する方がより確実性がある。さらに本システムでは制御コマンドをソース機器がマルチキャスト送信するシンクリストに含めて登録していることにより、シンク機器は制御コマンドを任意のタイミングでシンクリストを受信することにより取得することが可能であるため、一度制御コマンドを含むマルチキャスト送信の受信を失敗した場合でも、それ以降においてシンクリストを取得することによりコマンドの実行が可能となる。これは「待機・起動状態」、「音量レベル」など状態を指定する制御コマンドにおいて有効である。なお、マスタシンク機器２の無線接続状態が切断となったときには、コマンド登録部は、例外的に、制御コマンドとして再生停止コマンドを登録するようにしてもよい。この再生停止コマンドに基づくスレーブシンク機器２の制御としては、図９のステップＳ３で説明したように再生停止すればよいだけである。これにより、マスタシンク機器２の切断時にも対応できる。
【０１０４】
この形態におけるスレーブシンク機器２の再生部は、機器情報受信部で受信した制御コマンドに従って再生を実行すればよい。例えば、制御コマンドが音量レベルを上げるコマンドであれば、スレーブシンク機器２のうち音声出力機器はそれに従い音量レベルを上げればよい。特に、再生部は、状態情報等に応じた再生制御より、制御コマンドに従った再生を優先して実行することが好ましい。
【０１０５】
また、上述した制御コマンドに関する形態は、シンク機器２についてグループ分けを行うか否かに拘わらず適用できる。特に、グループ分けしている場合にはグループ毎に制御コマンドが記憶できるため、グループ毎の制御が可能となる。
【０１０６】
このように、マスタシンク機器（基本は１台）、スレーブシンク機器（１又は複数台）、及び、制御コマンドをシンクリストに保持するソース機器により、無線伝送システムを構築すると、マスタシンク機器でスレーブシンク機器の制御が可能となる。スレーブシンク機器は、上述した状態情報等に応じた再生制御を直接行わなくても、制御コマンドに従った再生制御を行うことで、同様のよりシステム全体を見たバランスのとれた制御が可能となる。
【０１０７】
また、以上の各例では、スピーカ機器であれば右用スピーカ機器などと予め設置場所が指定されているようなシンク機器を挙げて説明したが、無線通信（ユニキャスト無線伝送）の設定時などに、ソース機器に各シンク機器の種別を登録できるようにしてもよい。
【０１０８】
また、動作テーブルを設定されている状態からの動作を説明したが、シンク機器の起動時にソース機器及び他のシンク機器から無線通信を経由して取得する構成にしてもよい。
【符号の説明】
【０１０９】
１…ソース機器、２ａ，２ｂ，２…シンク機器、１１…シンクリスト管理部、１１ａ，１１ｂ…シンクリスト、１２…映像音声生成部、１３…無線通信制御部、１４…送信データ合成部、１５，２３…受信信号データ復調部、１６，２４…送信データ信号変調部、１７，２２…アナログ信号処理部、１８，２１…アンテナ、２５…受信データ分離部、２６…無線通信制御部、２７…音声分離・合成部、２８…シンク動作制御部、２９…設定情報格納部、２９ａ…動作テーブル、３０…音声出力部、３１…操作入力部。
【図１】
2010166481.tif 000003
【図２】
2010166481.tif 000004
【図３】
2010166481.tif 000005
【図４】
2010166481.tif 000006
【図５】
2010166481.tif 000007
【図６】
2010166481.tif 000008
【図７】
2010166481.tif 000009
【図８】
2010166481.tif 000010
【図９】
2010166481.tif 000011
【図１０】
2010166481.tif 000012
【図１１】
2010166481.tif 000013
【図１２】
2010166481.tif 000014
【図１３】
2010166481.tif 000015
【図１４】
2010166481.tif 000016
【図１５】
2010166481.tif 000017